(57)【特許請求の範囲】
【請求項１】
開口を有する箱状のボックス本体を備えており、鉄筋コンクリートの表面に前記開口を露出させた状態で埋設される埋設ボックスであって、
鉄筋に固定するための固定部を有する支持部材を設け、該支持部材と前記ボックス本体とを伸張可能な調整部で連結するとともに、前記調整部を、前記ボックス本体と前記支持部材とを収縮状態で連結するバネ部材と、前記バネ部材の付勢力に抗して前記ボックス本体と前記支持部材とを繋ぎ止めるバインド線とからなるものとし、
前記支持部材を前記鉄筋に固定した後、前記バインド線を切断して前記バネ部材を伸張させることによって、前記ボックス本体を前記開口が露出する位置へ移動可能としたことを特徴とする埋設ボックス。
【発明の詳細な説明】
【技術分野】
【０００１】
本発明は、たとえばコンクリートの壁面や天井面等に埋設される埋設ボックスに関するものである。
【背景技術】
【０００２】
従来、インサートをコンクリートの壁面等において所望の位置に設置する構成としては、たとえば特許文献１に開示されているものがある。これは、コンクリートを注入する型枠を鉄製とするとともに、インサートに磁性体を備え、該磁性体が型枠に吸着することによって、インサートを所望の位置で保持させようとしたものである。
また、埋設ボックス等としての利用を目的とした凹部をコンクリートに壁面の設ける構成については、たとえば特許文献２に開示されている。すなわち、型枠にボルト孔を穿設し、凹部を形成するためのブロック体を型枠内にボルトで固定することにより、凹部を所望の位置に形成するとしたものもある。
【０００３】
さらに、コンクリートの壁面等において所望の位置に設置可能な埋設ボックスとしては、たとえば特許文献３に開示されているようなものが考案されている。これは、埋設ボックスの上部及び下部にバー部材が左右方向へ挿通されており、該バー部材の埋設ボックスから突出した左右両側部を折り曲げ、その端部を鉄筋に固定することにより、埋設ボックスを所定の位置で支持可能としたものである。
【先行技術文献】
【特許文献】
【０００４】
【特許文献１】特開平６−１６７０５６号公報
【特許文献２】特開平１０−５２８１１号公報
【特許文献３】特開２００２−１９１１１２号公報
【発明の概要】
【発明が解決しようとする課題】
【０００５】
しかしながら、上記特許文献１に開示されている構成を埋設ボックスに採用しようとすると、鉄製の型枠を用いる必要があるため、型枠が重いことによる作業性の低下といった問題がある。また、鉄製の型枠は、木製の型枠と比べると、製造コストが非常に高価になるという問題もある。さらに、特許文献２に開示されている構成を埋設ボックスに採用しようとすると、型枠に一々ボルト孔を穿設しなければならず、埋設ボックスの設置作業に手間がかかるという問題があるし、一度ボルト孔を穿設してしまうと埋設ボックスの設置位置を調整できず（特にボルト孔が重なるような微調整ができない）、使い勝手が悪いという問題もある。
加えて、特許文献３に開示されている構成によれば、バー部材の鉄筋への固定作業は勿論、打設するコンクリートの厚さ等は現場や物毎に異なっているのであるから、鉄筋からコンクリートの壁面（すなわち型枠）までの距離に応じてバー部材の折り曲げ角度や折り曲げ長さ等を調整しなければならず、埋設ボックスの位置決め作業が非常に煩わしいという問題がある。
【０００６】
そこで、本発明は、上記問題に鑑みなされたものであって、型枠側にボックス本体を固定する構造を設ける必要がなく、又、型枠が木製であっても金属製であっても対応可能であるとともに、ボックス本体の開口をコンクリートの表面の所望の位置へ容易に露出させることができる埋設ボックスを提供しようとするものである。
【課題を解決するための手段】
【０００７】
上記目的を達成するために、本発明は、開口を有する箱状のボックス本体を備えており、鉄筋コンクリートの表面に前記開口を露出させた状態で埋設される埋設ボックスであって、鉄筋に固定するための固定部を有する支持部材を設け、該支持部材と前記ボックス本体とを伸張可能な調整部で連結するとともに、前記調整部を、前記ボックス本体と前記支持部材とを収縮状態で連結するバネ部材と、前記バネ部材の付勢力に抗して前記ボックス本体と前記支持部材とを繋ぎ止めるバインド線とからなるものとし、前記支持部材を前記鉄筋に固定した後、前記バインド線を切断して前記バネ部材を伸張させることによって、前記ボックス本体を前記開口が露出する位置へ移動可能としたことを特徴とする。
【発明の効果】
【０００８】
本発明によれば、鉄筋に固定するための固定部を有する支持部材を設けるとともに、該支持部材とボックス本体とを伸張可能な調整部で連結しており、支持部材を鉄筋に固定した後、調整部を伸張させることによって、ボックス本体を開口が露出する位置へ移動可能としている。したがって、従来の如く、ボックス本体を型枠の内面に固定する必要がなく、ボックス本体に磁性体を備えたり、型枠を鉄製としたりする必要がないし、勿論木製の型枠であっても対応することができる。また、型枠にボックス本体を固定するための構造を設ける必要がなく、作業性の向上、コスト低下等を図ることができる。
また、バインド線を切断するだけで、調整部が伸張し、ボックス本体を開口が露出する位置へ移動させることができるため、バー部材の折り曲げ角度等を調整しなければならない従来のものと比較して、当該作業を非常に容易に行うことができる。
【図面の簡単な説明】
【０００９】
【図１】埋設ボックスを前方から見た説明図である。
【図２】埋設ボックスを後方から見た説明図である。
【図３】埋設ボックスを側方から見た説明図であ
【図４】ボックス本体と支持金具との間の距離を延長させた際の説明図である。
【図５】埋設ボックスを設置する作業を模式的に示した説明図である。
【図６】埋設ボックスを設置する作業を模式的に示した説明図である。
【図７】埋設ボックスの変更例を示した説明図である。
【図８】埋設ボックスの他の変更例を示した説明図である。
【発明を実施するための形態】
【００１０】
以下、本発明の一実施形態となる埋設ボックスについて、図面にもとづき詳細に説明する。
【００１１】
まず、埋設ボックス１の構造について説明する。図１は、埋設ボックス１を前方から見た説明図であり、図２は、埋設ボックス１を後方から見た説明図である。また、図３は、埋設ボックス１を側方から見た説明図であり、図４は、ボックス本体２と支持金具３との間の距離を延長させた際の説明図である。
埋設ボックス１は、内部に端子金具５１等が設置された箱状のボックス本体２と、自身を鉄筋５０（図５に示す）に固定するための支持金具３と、ボックス本体２と支持金具３とを連結するとともに、ボックス本体２と支持金具３との間の距離を調整するための調整部４とからなる。
【００１２】
ボックス本体２は、前面に開口５を有する金属製の箱状部材であって、開口５周縁にはコンクリート内に埋め込まれ、ボックス本体２の抜け止めとして機能する鍔部６が設けられている。また、７は、開口５を囲むように、開口５の縁部から前方へ突設されたリブであって、該リブ７の上辺部と下辺部とには、図示しないカバーや配線用器具を取り付けるためのボス孔８、８が夫々穿設されている。さらに、ボックス本体２内には端子金具５１等が設置されており、たとえばエア・コンディショナー等の電気機器の接地線を接続可能となっている。加えて、ボックス本体２の後面中央には、調整部４を構成する第１ボルト部９が後方へ突設されている。
【００１３】
支持金具３は、上下方向へ長い金属製の板状部材であって、該支持金具３の上端部は、円弧状に曲げて折り返された後、対向する板状部とボルト１１及び支持金具に溶接されたナット１２で連結されており、ボルト１１を外した状態で円弧状部内に鉄筋５０を挿通させた後、ボルト１１を締め付けることにより、鉄筋５０の所定位置に自身を固定可能とした固定部１３として構成されている。また、支持金具３の下端部は、３つの支持片１４ａ、１４ｂ、１４ｃに分割されており、中央の支持片１４ｂは板状部に沿ってそのまま垂下されている一方、左右両側の支持片１４ａ、１４ｃは、後方へ折り曲げた後に垂下されている。そして、支持片１４ｂが鉄筋５０の前方に、支持片１４ａ、１４ｃが鉄筋５０の後方に夫々位置させることにより、支持片１４ａ、１４ｂ、１４ｃで鉄筋５０を前後から挟み込み可能としている。さらに、支持金具３の前面中央には、調整部４を構成する第２ボルト部１０が前方へ突設されている。尚、ボルト１１を挿通させるためのボルト孔１５は、上下方向へ長い長孔とされており、鉄筋５０の太さに応じて、ボルト１１の締め付け位置をボルト孔１５内で調整可能となっている。また、１６は、支持片１４ａ〜１４ｃに設けられた後方へ凹む凹部であり、各支持片１４ａ〜１４ｃを補強する機能を有している。
【００１４】
調整部４は、上述したようにボックス本体２に設けられた第１ボルト部９と、支持金具３に設けられた第２ボルト部１０と、第１ボルト部９及び第２ボルト部１０を連結する調整部材２０とからなる。第１ボルト部９及び第２ボルト部１０は、周面にネジ溝が刻設された雄ねじ部であり、互いにネジ溝の方向は逆方向とされている。また、調整部材２０は、ターンバックルに使用されるナット同様、内周面にネジ溝が刻設された雌ねじ部材であって、前後方向への長さは、第１ボルト部９及び第２ボルト部１０の合計長さと略同じとしている。そして、該調整部材２０の前方から第１ボルト部９を、後方から第２ボルト部１０を夫々螺合した所謂ターンバックル構造によって、第１ボルト部９と第２ボルト部１０とが、すなわちボックス本体２と支持金具３とが連結されている。したがって、調整部材２０を回転させると、第１ボルト部９は前方へ、第２ボルト部１０は後方へ徐々に突出する。すなわち、調整部４は、調整部材２０を回転させることにより、伸張可能となっている。
【００１５】
以上のように構成される埋設ボックス１の設置方法について、図５及び図６にもとづき説明する。尚、図５及び図６では、埋設ボックス１、鉄筋５０、型枠５２等を模式的に示しており、ボックス本体２に設けられるリブ７等については省略している。
まず、基台上に鉄筋５０、５０・・を垂直方向に設置するとともに、該鉄筋５０、５０・・に架け渡すように鉄筋５０、５０・・を水平方向に設置して、鉄筋５０、５０・・を格子状に組み立てる（図５（ａ））。また、組み立てた鉄筋５０、５０・・の周囲を囲むように型枠５２、５２・・を設置する（図５（ｂ））。図５（ｃ）は、当該状態における垂直方向に設置された鉄筋５０、５０間での端面を示している。
【００１６】
そして、組み立て状態にある鉄筋５０、５０・・の所望の位置に埋設ボックス１を固定する（図５（ｄ））。すなわち、水平方向に設置された鉄筋５０を固定部１３内に挿通させるとともに、その下方に設置された鉄筋５０を支持片１４ａ、１４ｂ、１４ｃによって前後方向から挟み込む。そして、水平方向の鉄筋５０、５０に沿って、埋設ボックス１の位置を調整した後、ボルト１１を締め付ければ、埋設ボックス１は所望の位置で鉄筋５０、５０に固定される。
【００１７】
次に、調整部材２０を回転させて調整部４を伸張させ、ボックス本体２を前方へ移動させる。そして、ボックス本体２の前面（具体的には、リブ７の最も突出した面）を型枠５２の内面に当接させ、型枠５２によりボックス本体２の開口を閉塞する（図６（ａ））。その後、型枠５２、５２内にコンクリート５３を打設し（図６（ｂ））、コンクリート５３が硬化した後で型枠５２、５２を取り外せば（図６（ｃ））、コンクリート５３の壁面にボックス本体２の開口５が露出して凹部が形成される（図６（ｄ））。
【００１８】
上述したような埋設ボックス１によれば、ボックス本体２と、埋設ボックス１を鉄筋５０、５０に固定するための支持金具３とを、伸張可能な調整部４を介して連結しており、ボックス本体２と支持金具３との間の距離を調整することができる。そのため、支持金具３を鉄筋５０、５０に固定した状態から調整部４を伸張させることにより、ボックス本体２の開口５が型枠５２の内面で閉塞される位置、すなわちコンクリートの表面から開口５が露出する位置までボックス本体２を前方へ移動させることができる。したがって、従来の如く、ボックス本体２を型枠５２の内面に固定する必要がなく、ボックス本体２に磁性体を備えたり、型枠５２を鉄製としたりする必要がないし、勿論木製の型枠５２を採用することもできる。また、型枠５２にボックス本体２を固定するためのネジ孔等を設ける必要がなく、作業性の向上、コスト低下等を図ることができる。
【００１９】
また、支持金具３の上端部に、鉄筋５０が挿通可能な円弧状部を有するとともに、ボルト１１の締め付けにより円弧状部内に挿通された鉄筋５０に自身を固定可能な固定部１３を、支持金具３の下端部に、鉄筋５０を前後方向から挟み込む支持片１４ａ、１４ｂ、１４ｃを夫々設けている。したがって、針金等を利用してバー部材を鉄筋に括り付ける従来のものと比較して、鉄筋５０への固定が非常に容易である。
【００２０】
さらに、調整部４を、ボックス本体２に設けた第１ボルト部９と、支持金具３に設けた第２ボルト部１０と、両ボルト部９、１０を連結するナット体である調整部材２０とから構成しており、調整部材２０を回転させることにより伸張可能に構成している。したがって、開口５を型枠５２内面により閉塞するにあたっては、鉄筋５０への固定後に調整部材２０を回転させて調整部４を伸張させればよく、バー部材の折り曲げ角度等を調整しなければならない従来のものと比較して、当該作業についても非常に容易に行うことができる。
【００２１】
なお、本発明に係る埋設ボックスは、上記実施形態の態様に何ら限定されるものではなく、調整部や支持金具の構成等について、本発明の趣旨を逸脱しない範囲で、必要に応じて適宜変更することができる。
【００２２】
たとえば、上記実施形態では、伸張可能な調整部をボルトとナットとを利用して構成しているが、図７に示すようなバネ部材２８を用いた構成を採用することも可能である。ここで、図７に示す埋設ボックス２１について説明する。尚、上記実施形態と同じ構成要素については同じ符号を付している。
埋設ボックス２１は、ボックス本体２と支持金具３とが調整部２５により連結されている。該調整部２５は、ボックス本体２の後面に後方へ突設された案内部としての第１筒状部２６と、支持金具３の前面に前方へ突設され、第１筒状部２６に外嵌可能な案内部としての第２筒状部２７と、第１筒状部２６内に収縮状態で内装されるバネ部材２８と、バネ部材２８の付勢力に抗してボックス本体２と支持金具３とを繋ぎ止めるバインド線２９とからなる。この埋設ボックス２１によれば、上記実施形態の埋設ボックス１同様に鉄筋に固定した後、バインド線２９を切断すると、バネ部材２８の付勢力により調整部２５が伸張し、ボックス本体２の開口５が型枠の内面に当接して閉塞されるようになっている。したがって、該埋設ボックス２１を採用したとしても、型枠側にボックス本体２を固定する構成を設ける必要がない、簡易な作業で埋設ボックス２１の開口５を型枠の内面で閉塞することができる等、上記実施形態の埋設ボックス１同様の効果を奏することができる。
尚、案内部に係る構成を、上記変更例とは逆に、第１筒状部を第２筒状部に外嵌する構成としてもよいし、筒状部同士を嵌め合わせるのではなく、筒状部内に柱状部を挿入させて案内部を形成し、バネ部材については筒状部に外装させる構成としてもよい。
【００２３】
また、支持金具を鉄筋に固定するための固定部に係る構成を、図８に示すような構成としてもよい。ここで、図８に示す埋設ボックス３１について説明する。尚、図８においても、上記実施形態と同じ構成要素については同じ符号を付している。
埋設ボックス３１は、ボックス本体２と支持金具３２とを調整部４により連結してなるもので、支持金具３２の上端部には、上下方向に長い長孔状のボルト孔（図示せず）が上下に連設されているとともに、後方へ凹んだ凹部を有する固定板３３を、２組のボルト１１、１１及び固定板３３に溶接されたナット１２、１２により、後面から取り付け可能となっており、支持金具３２本体と固定板３３とにより鉄筋を前後から挟持固定可能としている。該埋設ボックス３１によれば、支持金具３２を鉄筋に固定する際、ボルト孔を利用して、固定板３３の支持金具３２本体への取り付け位置を調整することにより、ボックス本体２の上下位置を調整することができる。したがって、上記実施形態の埋設ボックス１よりも更に容易に、コンクリートの壁面等の所望の位置へ凹部を形成することができる。
【００２４】
さらに、上記実施形態や変更例では、埋設ボックスを金属製としているが、合成樹脂製であっても何ら問題はなく、埋設ボックスの材質については適宜変更可能である。
さらにまた、ボックス本体２の内部に端子金具５１を設置するか否か等、ボックス本体２の内部をどのように利用するかについても変更可能であって、上記接地線の接続に何ら限定されることはないし、ボックス本体２に設けられている鍔部６やリブ７の有無等についても適宜設計変更可能である。
加えて、埋設ボックスを鉄筋に固定するにあたり、上記実施形態では型枠の組み立て後に埋設ボックスを固定するとしているが、埋設ボックスを固定した後に型枠を組み立て、その後、調整部を伸張させて開口を閉塞させるといった固定方法としても何ら問題はない。
【符号の説明】
【００２５】
１、２１、３１・・埋設ボックス、２・・ボックス本体、３、３２・・支持金具（支持部材）、４、２５・・調整部、５・・開口、９・・第１ボルト部、１０・・第２ボルト部、１１・・ボルト、１２・・ナット、１３・・固定部、１４・・支持片、２０・・調整部材、２６・・第１筒状部、２７・・第２筒状部、２８・・バネ部材、２９・・バインド線、３３・・固定板（固定部）。
【図１】
0005529587.tif 000002
【図２】
0005529587.tif 000003
【図３】
0005529587.tif 000004
【図４】
0005529587.tif 000005
【図５】
0005529587.tif 000006
【図６】
0005529587.tif 000007
【図７】
0005529587.tif 000008
【図８】
0005529587.tif 000009